【事件の表示】
　特許第３４２２２６７号「通信端末装置」の請求項１ないし３に係る特許に対する特許異議の申立てについて、次のとおり決定する。
【結　論】
　訂正を認める。
　特許第３４２２２６７号の請求項１ないし３に係る特許を維持する。
【理　由】
１．手続の経緯
　特許第３４２２２６７号の請求項１ないし３に係る発明についての出願は、平成１０年１０月２９日に特許出願され、平成１５年４月２５日にその発明について特許権の設定登録がなされ、その後、その特許について、異議申立人大木　茂により特許異議の申立てがなされ、取消しの理由が通知され、その指定期間内である平成１６年６月３日に訂正請求（後日取下げ）がなされた後、再度の取消しの理由が通知され、その指定期間内である平成１６年８月１６日に訂正請求がなされたものである。
　
２．訂正の適否についての判断
（１）訂正の内容
　特許権者が求めている訂正の内容は、以下のとおりである。
　ア．訂正事項ａ
　特許請求の範囲の請求項１の記載
「【請求項１】　複写機能を備えた通信端末装置において、読み取った画像を格納する第１の画像メモリと、符号化された画像を格納する第２の画像メモリと、画像を記録する記録手段と、前記第１の画像メモリから画像を読み出して前記記録手段に記録させるとともに該画像を符号化して前記第２の画像メモリに格納するように制御する制御手段を有することを特徴とする通信端末装置。」
を、
「【請求項１】　複写機能を備えた通信端末装置において、読み取った画像を格納する
少なくとも２つのイメージメモリを含む
読み取った１ページ目の原稿上の画像を２つのイメージメモリの両方に書き込み、一方のイメージメモリに書き込まれた画像を読み出して１部目の記録を記録手段に行わせるとともに他方のイメージメモリに書き込んだ画像を読み出して符号化して第２の画像メモリに格納した後、記録処理と読取処理を並行して行い、前記記録処理として、前記一方のイメージメモリから画像を読み出して前記記録手段に記録させる動作を指定された部数だけ記録するまで繰り返し、次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ、前記読取処理として次のページの原稿が存在する場合には該次のページの原稿について読み取った画像を前記他方のイメージメモリに書き込み、前記他方のイメージメモリ内の画像を読み出して符号化し、第２の画像メモリに格納する処理を読み取るべき原稿がなくなるまで繰り返し行う
に訂正する。
　
　イ．訂正事項ｂ
　特許請求の範囲の請求項２の記載
「【請求項２】　前記制御手段は、前記第２の画像メモリに格納することなく前記記録手段による記録を行わせ、記録終了後に次の画像の読み取りを可能にすることを特徴とする請求項１に記載の通信端末装置。」
を、
「【請求項２】　前記制御手段は、
前記第２の画像メモリに画像を格納できない場合あるいは複写部数が１部の場合には、
に訂正する。
　
　ウ．訂正事項ｃ
　特許請求の範囲の請求項３の記載
「【請求項３】　前記第１の画像メモリは、複数の画像を格納可能であり、前記制御手段は、前記第２の画像メモリに格納することなく前記記録手段による記録を行わせ、該記録と並行して次の画像の読み取りを可能にすることを特徴とする請求項１に記載の通信端末装置。」
を、
「【請求項３】　前記第１の画像メモリは、複数の画像を格納可能であり、前記制御手段は、
前記第２の画像メモリに画像を格納できない場合あるいは複写部数が１部の場合には、
に訂正する。
　
　エ．訂正事項ｄ
　特許明細書段落【０００９】の記載中の
「読み取った画像を格納する第１の画像メモリと、」
を、
「読み取った画像を格納する
少なくとも２つのイメージメモリを含む
に訂正する。
　
　オ．訂正事項ｅ
　特許明細書段落【０００９】の記載中の
「第１の画像メモリから画像を読み出して記録手段に記録させるとともに該画像を符号化して第２の画像メモリに格納するように制御する制御手段」
を、
「
読み取った１ページ目の原稿上の画像を２つのイメージメモリの両方に書き込み、一方のイメージメモリに書き込まれた画像を読み出して１部目の記録を記録手段に行わせるとともに他方のイメージメモリに書き込んだ画像を読み出して符号化して第２の画像メモリに格納した後、記録処理と読取処理を並行して行い、前記記録処理として、前記一方のイメージメモリから画像を読み出して前記記録手段に記録させる動作を指定された部数だけ記録するまで繰り返し、次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ、前記読取処理として次のページの原稿が存在する場合には該次のページの原稿について読み取った画像を前記他方のイメージメモリに書き込み、前記他方のイメージメモリ内の画像を読み出して符号化し、第２の画像メモリに格納する処理を読み取るべき原稿がなくなるまで繰り返し行う
に訂正する。
　
　カ．訂正事項ｆ
　特許明細書段落【００１０】の記載中の
「画像を格納できない場合には、制御手段は、」
を、
「画像を格納できない場合
あるいは複写部数が１部の場合
に訂正する。
　
（２）訂正の目的の適否、新規事項の有無、及び拡張・変更の存否
　ア．訂正事項ａについて
　まず、訂正事項ａのうち特許請求の範囲の請求項１に記載された「読み取った画像を格納する第１の画像メモリ」を、「読み取った画像を格納する
少なくとも２つのイメージメモリを含む
　次に、訂正事項ａのうち特許請求の範囲の請求項１に記載された「前記第１の画像メモリから画像を読み出して前記記録手段に記録させるとともに該画像を符号化して前記第２の画像メモリに格納するように制御する制御手段」を、「
読み取った１ページ目の原稿上の画像を２つのイメージメモリの両方に書き込み、一方のイメージメモリに書き込まれた画像を読み出して１部目の記録を記録手段に行わせるとともに他方のイメージメモリに書き込んだ画像を読み出して符号化して第２の画像メモリに格納した後、記録処理と読取処理を並行して行い、前記記録処理として、前記一方のイメージメモリから画像を読み出して前記記録手段に記録させる動作を指定された部数だけ記録するまで繰り返し、次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ、前記読取処理として次のページの原稿が存在する場合には該次のページの原稿について読み取った画像を前記他方のイメージメモリに書き込み、前記他方のイメージメモリ内の画像を読み出して符号化し、第２の画像メモリに格納する処理を読み取るべき原稿がなくなるまで繰り返し行う
　したがって、上記訂正事項ａは、特許請求の範囲の減縮を目的とした明細書の訂正に該当し、新規事項の追加に該当せず、実質上特許請求の範囲を拡張し、又は変更するものではない。
　
　イ．訂正事項ｂ、ｃについて
　訂正事項ｂ、ｃは、それぞれ特許請求の範囲の請求項２、３に記載された「制御手段」について、第２の画像メモリに格納することなく記録手段による記録を行わせるのは「前記第２の画像メモリに画像を格納できない場合あるいは複写部数が１部の場合」である旨限定して引用する請求項１との関係を明確化するものであり、この訂正は、特許請求の範囲の減縮または明りょうでない記載の釈明を目的とするものである。そして、かかる訂正事項は特許明細書の段落【００１０】〜【００１２】、【００３５】〜【００４４】、【００４６】などに記載されていたものであって、新規事項の追加に該当せず、また、実質上特許請求の範囲を拡張し、又は変更するものでもない。
　
　ウ．訂正事項ｄないしｆについて
　訂正事項ｄないしｆは、特許明細書の発明の詳細な説明を訂正するものであるが、いずれの訂正も、特許請求の範囲の訂正に伴って、特許請求の範囲の記載と発明の詳細な説明の記載との整合を図るためのものであり、明りょうでない記載の釈明を目的とするものである。そして、新規事項の追加に該当せず、また、実質上特許請求の範囲を拡張し、又は変更するものでもない。
　
（３）むすび
　したがって、上記訂正は、特許法第１２０条の４第２項及び同条第３項において準用する第１２６条第２項及び第３項の規定に適合するので、当該訂正を認める。
　
３．特許異議の申立てについての判断
（１）異議申立ての理由の概要
　異議申立人大木　茂は、証拠として甲第１号証（特開平５−２４４３６１号公報）、甲第２号証（特開平６−４０１２１号公報）を提出し、本件請求項１に係る発明は、甲第１号証に記載された発明に基づいて、あるいは甲第１号証及び甲第２号証に記載された発明に基づいて当業者が容易に発明をすることができたものであり、特許法第２９条第２項の規定により特許を受けることができないものであるから、本件特許は取り消されるべき旨主張している。
　
（２）本件発明
　上記２．で示したとおり、上記訂正は認められるから、本件請求項１ないし３に係る発明は、上記訂正請求に係る訂正明細書の特許請求の範囲の請求項１ないし３に記載された事項により特定される次のとおりのものである。
「【請求項１】　複写機能を備えた通信端末装置において、読み取った画像を格納する少なくとも２つのイメージメモリを含む第１の画像メモリと、符号化された画像を格納する第２の画像メモリと、画像を記録する記録手段と、読み取った１ページ目の原稿上の画像を２つのイメージメモリの両方に書き込み、一方のイメージメモリに書き込まれた画像を読み出して１部目の記録を記録手段に行わせるとともに他方のイメージメモリに書き込んだ画像を読み出して符号化して第２の画像メモリに格納した後、記録処理と読取処理を並行して行い、前記記録処理として、前記一方のイメージメモリから画像を読み出して前記記録手段に記録させる動作を指定された部数だけ記録するまで繰り返し、次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ、前記読取処理として次のページの原稿が存在する場合には該次のページの原稿について読み取った画像を前記他方のイメージメモリに書き込み、前記他方のイメージメモリ内の画像を読み出して符号化し、第２の画像メモリに格納する処理を読み取るべき原稿がなくなるまで繰り返し行うように制御する制御手段を有することを特徴とする通信端末装置。
【請求項２】　前記制御手段は、前記第２の画像メモリに画像を格納できない場合あるいは複写部数が１部の場合には、前記第２の画像メモリに格納することなく前記記録手段による記録を行わせ、記録終了後に次の画像の読み取りを可能にすることを特徴とする請求項１に記載の通信端末装置。
【請求項３】　前記第１の画像メモリは、複数の画像を格納可能であり、前記制御手段は、前記第２の画像メモリに画像を格納できない場合あるいは複写部数が１部の場合には、前記第２の画像メモリに格納することなく前記記録手段による記録を行わせ、該記録と並行して次の画像の読み取りを可能にすることを特徴とする請求項１に記載の通信端末装置。」
　
（３）引用刊行物に記載された発明
　当審が通知した取消しの理由において引用した刊行物１及び２には、それぞれ図面とともに以下の事項が記載されている。
　ア．刊行物１：特開平５−２４４３６１号公報（甲第１号証）
　（ア）「【請求項１】　画像入力装置からの画像データをページ単位で入力し、一旦ページメモリに記憶して該ページメモリに記憶された画像データを画像出力装置に送り出すと同時に、複数ページ記憶可能なデイスクメモリに記憶した後、繰り返し出力時は、該デイスクメモリから画像データを繰り返しページメモリに読み出して画像出力装置に送り出す画像処理装置において、
　少なくとも１ペーシ以上の画像データを記憶可能なページメモリと、画像入力装置にセット可能なページ数以上の画像データを記憶可能なデイスクメモリと、ページメモリの管理情報と各画像データの画像履歴情報を記憶する記憶手段と、画像データの入出力その他各手段の制御を行う制御手段とを備え、制御手段は、画像入力装置から画像データを入力して画像出力装置に繰り返し出力する際、所望の画像データがページメモリにあるか否かを調べ、ページメモリにある場合には、デイスクメモリから画像データを読み出すことなく、ページメモリの画像データを画像出力装置に送り出し、所望の画像データがページメモリにない場合には、画像データをデイスクメモリからページメモリに読み出して画像出力装置に送り出すことを特徴とする画像処理装置。」（２頁左欄２〜２２行）
　（イ）「【０００５】ところが画像データは、情報量が多いため複数枚の原稿を蓄積するには画像蓄積装置の容量が非常に膨大なものになってしまうという問題がある。そのため、一般には圧縮器を使って画像データを圧縮し蓄積することによって画像蓄積装置の容量を低減し、画像蓄積装置から読み出したデータは伸長器を使って伸長することによって元の画像データに復元して画像記録装置へ送り出すように構成している。」（２頁右欄１７〜２４行）
　（ウ）「【００１３】図１において、画像入力装置１は、例えばＣＣＤセンサを使って光電変換により原稿の画像情報を読み取る一般的な画像読み取り装置である。ページメモリ２は、ＲＡＭの如き一時記憶手段であり、画像入力装置１から入力した画像データをページ単位で少なくとも１ページ以上記憶するものである。ディスクメモリ３は、磁気ディスクの如き大容量の記憶手段であり、ページメモリ２に記憶された画像データを順次読み出し蓄積記憶するものである。画像出力装置４は、画像入力装置１またはディスクメモリ３からページメモリ２に供給される画像データを読み出しレーザプリンタ、デジタルプリンタの如く被記録材に像形成するものである。」（３頁右欄９〜２０行）
　（エ）「【００１９】一部目の複写ジョブが終了の場合、操作端末６において設定されたコピー部数全てが終了かチェックする（Ｓ１１１）。ここで、未終了の場合、２部目以降の繰り返し画像記録処理を開始する。本繰り返し処理においては、図２（ｃ）に示す画像履歴情報を検索し（Ｓ１１２）、所望の画像データがページメモリ２にあるかチェックする（Ｓ１１３）。あればページメモリ２の画像データをそのまま画像記録装置３に送り出すが、ない場合は、所望の画像データをディスクメモリ３からページメモリ２に読み出した後（Ｓ１１４，Ｓ１１５）、画像記録装置３に送り出す。上記処理は、コピー部数全てを終了するまで繰り返し行う。」（４頁左欄３９〜５０行）
　（オ）「【００３１】なお、本発明は、上記の実施例に限定されるものではなく、種々の変形が可能である。例えば上記の実施例では、画像読み取り装置の画像データの場合について説明したが、ＰＣ（パーソナルコンピュータ）やＦＡＸ等の画像データの入力、繰り返し出力の場合にも同様に適用してもよい。」（５頁右欄２３〜２８行）
　
　イ．刊行物２：特開平６−４０１２１号公報（甲第２号証）
　（ア）「【請求項１】　印刷部数情報が入力される印刷部数授受手段と、
　印刷データをホストコンピュータより受信する通信手段と、
　全ページ分の印刷データを記憶する記憶手段と、
　前記通信手段により受信した印刷データをその記憶手段へ書き込む書き込み手段と、
　その記憶手段に書き込まれた印刷データを読みだす再生手段と、
　印刷するデータを用紙に印刷する印刷手段と、
　その印刷手段と前記再生手段とを制御し、各ページを１度ずつそのページ順に印刷させる印刷制御手段と、
　その印刷制御手段による印刷動作を前記印刷部数情報に基づいて繰り返させる制御手段と、
　を備えたことを特徴とするプリンタ。」（２頁左欄２〜１６行）
　（イ）「【００２１】また、印刷データが、印刷部数設定コマンドでなければ、印刷データが、印刷する文字もしくは図形を指示する描画コマンドであるかどうかの比較をする（Ｓ１４）。もし、印刷データが、描画コマンドであったならば、ＣＰＵ１４は、その描画コマンドに従い、ページメモリ２２に描画する（Ｓ１５）。
　　　　　　　・・・・（中略）・・・・
【００２２】また、印刷データが、描画コマンドでなかったならば、印刷データがページ終了コマンドであるかどうかの比較をする（Ｓ１６）。もし、印刷データがページ終了コマンドであったならば、ページ終了処理を行う。詳細には、図５のフローチャートに示すように、ＣＰＵ１４は、ＲＡＭ１６上のページメモリ２２に保存されたビットマップデータをプリンタエンジンＩ／Ｆ１７へ転送し、プリンタエンジン１２を制御してプリントを実行する（Ｓ２１）。その後、ハードディスクＩ／Ｆ１９を制御し、ページメモリ２２に保存されたビットマップデータをハードディスク１３に記憶させる（Ｓ２２）。さらに、ＲＡＭ４上のページメモリ２２をクリアし（Ｓ２３）、印刷ページ数２４に１を加算する（Ｓ２４）。
【００２３】また、図４のＳ１６において印刷データがページ終了コマンドでなかったならば、印刷データがデータ終了コマンドあるかどうかの比較をする（Ｓ１８）。もし、印刷データが、データ終了コマンドであったならば、データ終了処理を行う（Ｓ１９）。詳細には、図７のフローチャートに示すように、まず、ＣＰＵ１４はＲＡＭ１６上の印刷部数２３が１であるかどうかを比較する（Ｓ４１）。もし、印刷部数２３が１であったならば、ＲＡＭ１６上のページメモリ２２をクリアし（Ｓ４４）、印刷ページ数２４に０を設定し（Ｓ４５）、データ終了処理を終了する。また、印刷部数２３が１でなければ、ハードディスク１３に保存されたビットマップデータをページメモリ２２に１ページから最終ページまで順に読みだし、全ページの印刷を行う（Ｓ４２）。次に印刷部数２３より１減算し（Ｓ４３）印刷部数２３が１であるかどうかの比較（Ｓ４１）のステップへもどす。」（３頁左欄５０行〜同頁右欄５０行）
　（ウ）「【００３０】また、ハードディスク１３にページメモリ２２に展開されたビットマップデータを記録する際に、周知のＲｕｎＬｅｎｇｔｈ法やＬＺＷ法等を使用してデータ圧縮をし、２部目以降の印刷時にそれを展開して印刷してもよい。この場合、ハードディスク１３の容量に比較して、より多くのページのソートされた複数部の印刷を行うことができる。また、ハードディスク１３を他の外部記憶装置に置き換えた構成としてもよい。さらに、ＲＡＭ１６上に複数のページメモリ２２を持ちそれを順に使用することにより、ハードディスク１３への記録、読みだしを行わず２部目以降の印刷を行い、ハードディスク１３を省いた構成としてもよい。」（４頁右欄２１〜３２行）
　
（４）対比・判断
　ア．本件請求項１に係る発明について
　本件請求項１に係る発明と刊行物１及び２に記載された事項とを対比すると、
　刊行物１には、読み取った画像を一旦ページメモリに記憶し、該ページメモリに記憶された画像を読み出して１部目の全ページの記録を画像記録装置に行わせると同時に、圧縮してディスクメモリに記憶する点や、２部目以降は所望の画像がページメモリにあるか否かを調べ、ページメモリにある場合にはディスクメモリから画像を読み出すことなくページメモリの画像を読み出して前記画像記録装置に記録させ、ページメモリにない場合にはディスクメモリから画像をページメモリに一旦読み出してから、該ページメモリの画像を前記画像記録装置に記録させる点が実質的に記載され、また、刊行物２には、読み取った画像を一旦ページメモリに記憶し、該ページメモリに記憶された画像を読み出して１部目の全ページの印刷を印刷手段に行わせた後、該画像を読み出して圧縮してハードディスクに記憶する点や、２部目以降はハードディスクから全ページの画像を順に読み出してページメモリに展開し、該ページメモリの画像を前記印刷手段に印刷させる点が記載されているものの、そもそも刊行物１及び刊行物２に記載のものは、１部目の１ページから最終ページまでが順に記録（印刷）され、次に２部目の１ページから最終ページまでが順に記録（印刷）されるというように、いわゆるソートした状態で記録されるように制御することを前提としている点で本件請求項１に係る発明とはその前提において相違しており、本件請求項１に係る発明を特定するために必要な事項である「読み取った１ページ目の原稿上の画像を２つのイメージメモリの両方に書き込み、一方のイメージメモリに書き込まれた画像を読み出して１部目の記録を記録手段に行わせるとともに他方のイメージメモリに書き込んだ画像を読み出して符号化して第２の画像メモリに格納した後、記録処理と読取処理を並行して行い、前記記録処理として、前記一方のイメージメモリから画像を読み出して前記記録手段に記録させる動作を指定された部数だけ記録するまで繰り返し、次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ、前記読取処理として次のページの原稿が存在する場合には該次のページの原稿について読み取った画像を前記他方のイメージメモリに書き込み、前記他方のイメージメモリ内の画像を読み出して符号化し、第２の画像メモリに格納する処理を読み取るべき原稿がなくなるまで繰り返し行うように制御する」点、なかでも「次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ」る点について記載も示唆もされていない。
　そして、本件請求項１に係る発明は、上記事項によって、第２の画像メモリから読み出した画像（２ページ以降のもの）についても、１枚目の画像が記録されるまでの時間を短縮することができるという効果が得られるものと認められる。
　したがって、本件請求項１に係る発明は、刊行物１に記載された発明に基づいて、あるいは刊行物１及び刊行物２に記載された発明に基づいて当業者が容易に発明をすることができたものとはいえない。
　
　イ．本件請求項２、３に係る発明について
　本件請求項２、３に係る発明は、それぞれ請求項１に係る発明をさらに限定したものであるから、上記請求項１に係る発明についての判断と同様の理由により、刊行物１に記載された発明に基づいて、あるいは刊行物１及び刊行物２に記載された発明に基づいて当業者が容易に発明をすることができたものとはいえない。
　（なお、特許異議申立書の申立の理由の欄には、本件請求項２、３に係る発明に関しては何ら理由が示されていないので、そもそも本件請求項２、３に係る発明に対しての申立ては、不適法な申立てであるともいえる。）
　
（５）以上のとおりであるから、特許異議の申立ての理由及び証拠によっては、本件請求項１ないし３に係る発明の特許を取り消すことはできない。
　また、他に本件請求項１ないし３に係る発明の特許を取り消すべき理由を発見しない。
　よって、結論のとおり決定する。
【異議決定日】
平成１６年８月２４日（２００４．８．２４）
【訂正の要旨】
審決（決定）の【理由】欄参照。
（５４）【発明の名称】
通信端末装置
（５７）【特許請求の範囲】
　【請求項１】　複写機能を備えた通信端末装置において、読み取った画像を格納する少なくとも２つのイメージメモリを含む第１の画像メモリと、符号化された画像を格納する第２の画像メモリと、画像を記録する記録手段と、読み取った１ページ目の原稿上の画像を２つのイメージメモリの両方に書き込み、一方のイメージメモリに書き込まれた画像を読み出して１部目の記録を記録手段に行わせるとともに他方のイメージメモリに書き込んだ画像を読み出して符号化して第２の画像メモリに格納した後、記録処理と読取処理を並行して行い、前記記録処理として、前記一方のイメージメモリから画像を読み出して前記記録手段に記録させる動作を指定された部数だけ記録するまで繰り返し、次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ、前記読取処理として次のページの原稿が存在する場合には該次のページの原稿について読み取った画像を前記他方のイメージメモリに書き込み、前記他方のイメージメモリ内の画像を読み出して符号化し、第２の画像メモリに格納する処理を読み取るべき原稿がなくなるまで繰り返し行うように制御する制御手段を有することを特徴とする通信端末装置。
　【請求項２】　前記制御手段は、前記第２の画像メモリに画像を格納できない場合あるいは複写部数が１部の場合には、前記第２の画像メモリに格納することなく前記記録手段による記録を行わせ、記録終了後に次の画像の読み取りを可能にすることを特徴とする請求項１に記載の通信端末装置。」
　【請求項３】　前記第１の画像メモリは、複数の画像を格納可能であり、前記制御手段は、前記第２の画像メモリに画像を格納できない場合あるいは複写部数が１部の場合には、前記第２の画像メモリに格納することなく前記記録手段による記録を行わせ、該記録と並行して次の画像の読み取りを可能にすることを特徴とする請求項１に記載の通信端末装置。
【発明の詳細な説明】
　【０００１】
　【発明の属する技術分野】
　本発明は、複写機能を備えた通信端末装置に関するものである。
　【０００２】
　【従来の技術】
　送受信機能を有する通信端末装置においては、送信時の原稿を読み取る読取部と、受信時の原稿を出力する記録部を有しており、この読取部および記録部を用いて、複写機能を実現している。
　【０００３】
　通信端末装置における複写機能は、光学式の複写機とは異なり、原稿から読み取った画像を一旦メモリに蓄積し、蓄積された画像を記録部において被記録媒体上に記録する。そのため、例えば複数部の複写を行う場合でも、１回の読み取りでよいなどの利点を有している。
　【０００４】
　図６は、従来の通信端末装置における複写機能時のデータの流れの一例を示す説明図である。図中、１は読取部、２，６はイメージメモリ、３，５はコーデック、４は画像メモリ、７は記録部である。読取部１で読み取った原稿上の画像は、一旦、イメージメモリ２に格納する。１ページ分の画像がイメージメモリ２に格納された後、コーデック３によってイメージメモリから画像を読み出し、符号化して画像メモリ４に蓄積する。画像メモリ４内の符号化された画像は、コーデック５によって読み出され、復号されてイメージメモリ６に一旦格納される。その後、イメージメモリ６に格納された画像は、記録部７において被記録媒体上に記録される。
　【０００５】
　このような処理のうち、画像を読み取って符号化し、画像メモリ４に格納するまでの処理と、画像メモリ４から符号化された画像を読み出し、復号して記録部７で記録する処理は、並行して行うことができる。すなわち、１ページ分の画像が符号化されて画像メモリ４に格納されてしまえば、次の原稿の画像を読み取り、符号化して画像メモリ４に格納する処理を行うことができる。そのため、例えば複数部の複写を行って記録に時間がかかっている場合でも、読み取りは先に行うことができる。これによって、読み取りに要する時間を削減するとともに、次の複写や送信のために読取部１を提供することができる。
　【０００６】
　しかし、最初の原稿を読み取らせてから複写された画像を得るまでに、符号化して画像メモリ４に一旦格納し、さらに画像メモリ４から読み出して復号するという処理を経るため、多大な時間を要する。そのため、利用者は最初の複写された画像を得るまでに長時間待たされるという問題があった。
　【０００７】
　また、画像メモリ４には、例えば話中や予約機能により通信待ち状態の符号化された画像が多数格納される。そのため、画像メモリ４に空き領域がない場合もある。このような場合に従来の通信端末装置では、複写すべき画像を符号化して画像メモリ４に格納できないため、複写機能を利用できないという問題もあった。
　【０００８】
　【発明が解決しようとする課題】
　本発明は、上述した事情に鑑みてなされたもので、複写時に最初の原稿を読み取ってから複写された原稿が得られるまでの時間を短縮するとともに、画像メモリに空き領域がない場合にも複写を行うことができる、複写機能付きの通信端末装置を提供することを目的とするものである。
　【０００９】
　【課題を解決するための手段】
　本発明は、複写機能を備えた通信端末装置において、読み取った画像を格納する少なくとも２つのイメージメモリを含む第１の画像メモリと、符号化された画像を格納する第２の画像メモリと、画像を記録する記録手段と、読み取った１ページ目の原稿上の画像を２つのイメージメモリの両方に書き込み、一方のイメージメモリに書き込まれた画像を読み出して１部目の記録を記録手段に行わせるとともに他方のイメージメモリに書き込んだ画像を読み出して符号化して第２の画像メモリに格納した後、記録処理と読取処理を並行して行い、前記記録処理として、前記一方のイメージメモリから画像を読み出して前記記録手段に記録させる動作を指定された部数だけ記録するまで繰り返し、次のページの原稿の画像が前記第２の画像メモリに蓄積されている場合には、前記第２の画像メモリから次のページの原稿の符号化された画像を読み出して復号し前記第１の画像メモリの一方のイメージメモリに書き込むとともに１部目を前記記録手段に記録させた後、前記一方のイメージメモリから画像を読み出して２部目以降を記録手段に記録させ、前記読取処理として次のページの原稿が存在する場合には該次のページの原稿について読み取った画像を前記他方のイメージメモリに書き込み、前記他方のイメージメモリ内の画像を読み出して符号化し、第２の画像メモリに格納する処理を読み取るべき原稿がなくなるまで繰り返し行うように制御する制御手段を有することを特徴とするものである。最初の原稿の画像は、読み取られて第１の画像メモリに格納された後、そのまま記録手段により記録出力するため、従来に比べて高速に記録画像を得ることができる。また、この記録出力と並行して画像を符号化し、第２の画像メモリに格納しているので、複数部の複写を行う場合でも従来と同様に１回の読み取りでよい。
　【００１０】
　また、例えば第２の画像メモリに符号化した画像を格納できない場合あるいは複写部数が１部の場合には、制御手段は、第２の画像メモリに格納することなく記録手段による記録を行わせ、記録終了後に次の画像の読み取りを可能にする。これによって、第２の画像メモリに空き領域がない場合であっても、複写機能を実行させることが可能となる。
　【００１１】
　このとき、第１の画像メモリが複数の画像を格納可能であれば、制御手段は、第２の画像メモリに格納することなく前記記録手段による記録を行わせ、該記録と並行して次の画像の読み取りを可能にすることができる。これによって、第２の画像メモリに空き領域がない場合であっても、複写機能を実行させることが可能となるとともに、記録中に次の原稿を読み取ることができ、複写速度を向上させることができる。
　【００１２】
　なお、第２の画像メモリに符号化した画像を格納可能であっても、１ないし数部程度の複写を行う場合には、第２の画像メモリに格納することなく第１の画像メモリに格納された画像を記録手段によって記録するように構成してもよい。
　【００１３】
　【発明の実施の形態】
　図１は、本発明の通信端末装置の実施の一形態を示すブロック図である。図中、１１は主制御部、１２は表示部、１３は操作部、１４は読取部、１５は記録部、１６，１７はコーデック、１８はＮＣＵ、１９はモデム、２０は画像メモリ、２１はＲＡＭ、２２はイメージメモリ、２３はＲＯＭ、２４はバスである。
　【００１４】
　主制御部１１は、装置全体を制御し、各部を動作させて、画像送受信機能、複写機能などを実現する。特に、複写機能においては、読取部１４で読み取った画像をイメージメモリ２２に格納後、コーデック１６または１７において符号化して画像メモリ２０に格納するとともに、記録部１５が空いていれば記録部１５に転送し、記録を行わせる。また、画像メモリ２０に空き領域がない場合には、符号化して画像メモリ２０に格納せずに、そのまま記録部１５に転送し、記録を行わせる。
　【００１５】
　表示部１２は、利用者に対するメッセージや、装置の状態を示すメッセージ、操作ガイダンスなど、種々の情報を表示することができる。操作部１３は、利用者が各種の設定や指示などを行う際に用いられる。例えば、送信機能あるいは複写機能の選択や、複写部数の設定、選択した機能の実行指示などを行うことができる。
　【００１６】
　読取部１４は、原稿上の画像を読み取る。読み取った画像は、ＲＡＭ２１内のイメージメモリ２２に格納される。読取部１４としては、例えばイメージスキャナやディジタルカメラなどの種々の画像入力機器で構成することができる。
　【００１７】
　記録部１５は、ＲＡＭ２１内のイメージメモリ２２に格納されている画像を、被記録媒体上に形成する。記録方法としては、例えば電子写真方式やインクジェット方式など、種々の方式を採用することができる。
　【００１８】
　コーデック１６，１７は、画像の符号化および復号を行う。ここでは、コーデック１６によってイメージメモリ２２内の画像を符号化し、画像メモリ２０に格納する。また、コーデック１７によって画像メモリ２０に格納されている符号化された画像を復号し、イメージメモリ２２に格納する。ここでは画像の読込時の符号化と画像形成時の復号を同時に行うことができるように、２つのコーデックを備えているが、１つのコーデックで構成してももちろんよい。
　【００１９】
　ＮＣＵ１８は、回線を制御して外部機器との通信を行う。モデム１９は、送受信する画像データの変復調を行う。なお、通信は符号化データによって行うので、画像を送信する場合には、画像メモリ２０に格納されている符号化された画像を送信する。また、画像を受信した場合には、符号化された画像を画像メモリ２０に格納する。
　【００２０】
　画像メモリ２０は、送信すべきあるいは複写する符号化された画像や、受信した符号化された画像を蓄積する。
　【００２１】
　ＲＡＭ２１は、主制御部１１や他の各部の処理においてデータの保存が必要なときに用いられる。ＲＡＭ２１はイメージメモリ２２を有している。イメージメモリ２２には、読取部１４で読み取った画像や、記録部１５で記録する画像が格納される。なお、この例では読取動作と記録動作を並行して行えるように、読み取った画像を格納する領域と、記録する画像を格納する領域が設けられているものとする。これらの領域は、画像メモリ２０に空き領域がない場合には、両方の領域を読取動作および記録動作に用いる。
　【００２２】
　ＲＯＭ２３は、主制御部１１の動作を規定したプログラムや、固定的なデータなどが格納されている。
　【００２３】
　バス２４は、主制御部１１、表示部１２、操作部１３、読取部１４、記録部１５、コーデック１６，１７、ＮＣＵ１８、モデム１９、画像メモリ２０、ＲＡＭ２１、ＲＯＭ２３等を相互に接続しており、これらの間のデータ転送を可能にしている。
　【００２４】
　図２は、本発明の通信端末装置の実施の一形態におけるイメージメモリの一構成例および複写機能実行時のデータの流れの概要を示す説明図である。図中、３１，３２はメモリ制御部、３３，３４はイメージメモリである。ここでは、イメージメモリ３３には読み取った画像を格納し、イメージメモリ３４には記録する画像を格納する。メモリ制御部３１はイメージメモリ３３を制御し、読取部１４から送られてくる画像をイメージメモリ３３に書き込み、またイメージメモリ３３から読み出した画像をコーデック１６に対して出力することができる。また、メモリ制御部３１は、イメージメモリ３４に対しても書き込みを行うことができる。メモリ制御部３２はイメージメモリ３４を制御し、コーデック１７から送られてくる復号した画像をイメージメモリ３４に書き込み、またイメージメモリ３４から読み出した画像を記録部１５に対して出力することができる。
　【００２５】
　図３、図４は、本発明の通信端末装置の実施の一形態における動作の一例を示すフローチャートである。ここでは、上述の図２に示した構成をもとに、複写機能を用いて複数部の複写を行う場合の動作の一例を説明する。例えば操作部１３において、複写部数を指定した後、複写開始の指示を行うことによって、複写機能が開始される。
　【００２６】
　Ｓ４１において、画像メモリ２０に空き領域が存在するか否かを判定する。もし、１ページ分以上の符号化された画像を格納できるだけの空き領域が存在しない場合には、Ｓ７１へ進んで画像メモリ２０を用いない複写動作を行う。画像メモリ２０に空き領域が存在している場合には、Ｓ４２以降の画像メモリ２０を用いた複写動作を行う。なお、画像メモリ２０が故障などによって利用できない場合も、空き領域が存在しない場合と同様の動作を行わせることができる。
　【００２７】
　Ｓ４２において、読取部１４で原稿の画像の読み取りを開始する。Ｓ４３において、読取部１４で読み取った画像は、メモリ制御部３１によってイメージメモリ３３およびイメージメモリ３４の両方に書き込む。その後Ｓ４４において、メモリ制御部３１は、イメージメモリ３３に書き込んだ画像を読み出し、コーデック１６に対して出力する。コーデック１６はメモリ制御部３１から渡された画像を符号化し、画像メモリ２０に蓄積してゆく。それと同時に、メモリ制御部３２は、イメージメモリ３４に書き込まれた画像を読み出し、記録部１５に対して出力する。記録部１５は、メモリ制御部３２から転送された画像を被記録媒体上に記録する。
　【００２８】
　このようにして、１ページ目の原稿上の画像は、画像メモリ２０を経由せずに記録部１５で記録される。そのため、読み取りを開始してから１枚目の複写画像が記録されるまでの時間を短縮することができる。
　【００２９】
　Ｓ４５において、読取部１４における１ページ目の原稿の画像の読み取りが終了し、またイメージメモリ３３に蓄積された画像の符号化および画像メモリ２０への蓄積が終了し、さらに記録部１５における１枚目の記録が終了すると、少なくともイメージメモリ３３を開放する。これ以後、Ｓ４６〜Ｓ５１における記録処理と、Ｓ６１〜Ｓ６５における読取処理を並行して行う。
　【００３０】
　まず記録処理について説明する。ここまでの処理において、１ページ目の原稿画像の１部目の記録を行った。ここでは複数部の複写を行うので、さらに１ページ目の原稿画像についてさらに記録動作を行う。なおこの時点では、原稿画像がイメージメモリ３４に格納されている。まずＳ４６において、指定された部数だけの記録を行ったか否かを判定する。指定された部数だけの記録を行っていない場合には、Ｓ４７ないしＳ４８において、イメージメモリ３４に格納されている画像をメモリ制御部３２が読み出し、記録部１５に転送する。記録部１５は、転送されてきた画像を被記録媒体に記録する。この動作を、指定された部数だけ記録する間で繰り返し行う。
　【００３１】
　Ｓ４６において指定された部数だけの記録が終了したと判定されると、次のページの原稿について、指定された部数だけの記録を行う。なお、複数部の記録を行っている間に、Ｓ６１〜Ｓ６５において読取処理を行っており、さらに複写すべき原稿が存在する場合には、この時点で画像メモリ２０に原稿の画像が符号化されて蓄積されている。
　【００３２】
　Ｓ４９において、次のページの原稿の画像が画像メモリ２０に蓄積されているか否かを判定する。次のページの原稿画像が画像メモリ２０に蓄積されている場合には、Ｓ５０ないしＳ５１において、画像メモリ２０から次ページの原稿の符号化された画像を読み出し、コーデック１７によって復号した後、メモリ制御部３２を介してイメージメモリ３４に画像を書き込む。これとともに、あるいは、イメージメモリ３４に書き込んだ画像をメモリ制御部３２で読み出しながら、記録部１５において１部目の記録を行う。その後Ｓ４６へ進み、２部目以降の記録動作を行う。
　【００３３】
　このようにして各原稿の画像について、指定された部数だけの記録動作を繰り返し行う。Ｓ４９において画像メモリ２０に蓄積された次ページの原稿の符号化された画像がなくなると、複写処理を終了する。
　【００３４】
　次に読取動作を説明する。１ページ目の原稿の１部目の記録が終了すると、上述のようにイメージメモリ３３を開放し、次の原稿の読み取りを可能にする。Ｓ６１において、次のページの原稿が存在するか否かを判断し、原稿が存在する場合には、Ｓ６２において読取部１４は次の原稿の読み取りを開始する。Ｓ６３において、読取部１４で読み取った画像は、メモリ制御部３１によってイメージメモリ３３に書き込まれる。読み取った原稿の画像をイメージメモリ３３に蓄積後、Ｓ６４〜Ｓ６５において、メモリ制御部３１はイメージメモリ３３内の画像を読み出してコーデック１６に転送する。コーデック１６は転送された画像を符号化し、画像メモリ２０に蓄積する。このような読取動作を、読み取るべき原稿がなくなるまで繰り返し行う。また、このような読取動作は、Ｓ４６〜Ｓ５１における記録動作と並行して行うことができる。Ｓ６１において読み取るべき原稿がなくなると、読取動作を終了する。
　【００３５】
　次に、画像メモリ２０に十分な空き領域が存在しない場合の動作について説明する。この場合には、画像メモリ２０を用いずに複数部の記録動作を行う。Ｓ７１において、読取部１４で原稿の画像の読み取りを開始する。Ｓ７２において、読取部１４で読み取った画像は、メモリ制御部３１によってイメージメモリ３３およびイメージメモリ３４の両方、あるいはイメージメモリ３４のみに書き込む。Ｓ７３において、メモリ制御部３２は、イメージメモリ３４に書き込まれた画像を読み出し、記録部１５に対して出力する。記録部１５は、メモリ制御部３２から転送された画像を被記録媒体上に記録する。このようにしてＳ７４までにおいて、原稿の読み取りと１部目の記録が行われる。
　【００３６】
　Ｓ７５において、指定された部数だけの記録を行ったか否かを判定する。指定された部数だけの記録を行っていない場合には、Ｓ７６〜Ｓ７７において、メモリ制御部３２は、イメージメモリ３４内の画像を読み出し、記録部１５に対して出力して記録する。この記録処理を、指定された部数となるまで行う。
　【００３７】
　ある原稿について指定された部数だけの記録が行われると、Ｓ７５からＳ７８へ進み、Ｓ７８において次の複写すべき原稿が存在するか否かを判定する。複写すべき原稿が存在する場合には、Ｓ７１に戻って、次の原稿の読み取りおよび指定された部数の記録を行う。
　【００３８】
　このようにして、画像メモリ２０に空き領域がない場合には、画像メモリ２０を用いずに、イメージメモリ３４から直接、記録部１５に画像を転送し、複数部の記録を行う。これによって、画像メモリ２０に余裕がない場合でも、複写機能を利用することが可能になる。
　【００３９】
　図５は、本発明の通信端末装置の実施の一形態における画像メモリに十分な空き領域が存在しない場合の動作の別の例を示すフローチャートである。上述の図４に示した画像メモリ２０に十分な空き領域が存在しない場合の動作例では、指定された部数の記録が終了しないと次の原稿の読み取りを行っていない。しかし、図２に示すようにイメージメモリが複数存在する場合、あるいは、イメージメモリに複数ページ分の画像が格納可能な場合には、記録動作中に次の原稿の読み取りを並行して行うことができる。なお、メモリ制御部３１およびメモリ制御部３２は、イメージメモリ３３，３４のいずれもアクセス可能であるものとする。
　【００４０】
　Ｓ８１において、読取部１４で原稿の画像の読み取りを開始する。Ｓ８２において、読取部１４で読み取った画像は、メモリ制御部３１によってイメージメモリ３３またはイメージメモリ３４のいずれか一方に書き込まれる。ここでは、イメージメモリ３３に書き込むものとする。Ｓ８３において、メモリ制御部３２は、イメージメモリ３３に書き込まれた画像を読み出し、記録部１５に対して出力して、画像の記録を開始する。
　【００４１】
　Ｓ８４において読取部１４での１ページ分の原稿の読み取りが終了したことを確認後、Ｓ８５において次に読み取るべき原稿が存在するか否かを判定する。存在すれば、Ｓ８６において、読取部１４は次の原稿の読み取りを開始し、Ｓ８７において、読み取った画像をメモリ制御部３１によりイメージメモリ３４に書き込む。このとき、記録部１５はイメージメモリ３３に蓄積されている画像の記録を行っていてよい。これによって、画像の記録動作中に次の原稿の読取動作を行うことができ、処理時間を短縮することができる。
　【００４２】
　記録部１５は、イメージメモリ３３に蓄積されている画像を、指定された部数だけ記録する。Ｓ８８において、指定部数だけの記録が終了するのを待つ。指定部数だけの記録が終了すると、Ｓ８９で読み取りが終了していることを確認後、Ｓ９０においてイメージメモリ３４に蓄積されている画像の記録を開始する。このとき、次の原稿の記録を開始する間で原稿の読み取りを待たなくてよいので、処理時間を短縮することができる。
　【００４３】
　Ｓ９１において、次に読み取るべき原稿が存在するか否かを判定する。存在すれば、Ｓ９２において、読取部１４は次の原稿の読み取りを開始し、Ｓ９３において、読み取った画像をメモリ制御部３１によりイメージメモリ３３に書き込む。このとき、記録部１５はイメージメモリ３３に蓄積されている画像の記録を行っていてよい。記録部１５は、イメージメモリ３３に蓄積されている画像を、指定された部数だけ記録する。Ｓ９４において、指定部数だけの記録が終了するのを待つ。指定部数だけの記録が終了すると、Ｓ９５で読み取りが終了していることを確認後、Ｓ９６においてイメージメモリ３３に蓄積されている画像の記録を開始し、Ｓ８５へ進む。
　【００４４】
　このようにして、イメージメモリ３３とイメージメモリ３４を交互に用いて、読み取った原稿の画像を蓄積させ、記録部１５において指定部数だけの記録を行う。これにより、イメージメモリのみを用いた複写動作の処理速度を向上させることができる。Ｓ８５またはＳ９１において、次の原稿がなくなると、Ｓ９７において最後の原稿について指定された部数の記録の終了を待ち、複写機能を終了する。
　【００４５】
　なお、イメージメモリの数が３つ以上、あるいは容量が３ページ分以上ある場合には、先読みする原稿のページ数を増加させ、処理速度を向上させることもできる。
　【００４６】
　上述の例では、画像メモリ２０の空き領域が少なく、符号化した画像を蓄積できない場合に、画像メモリ２０に蓄積することなく、イメージメモリ２２から記録部１４に画像を直接転送して記録動作を行った。しかしこれに限らず、画像メモリ２０に空き領域が存在する場合でも、例えば複写部数が１部のみの場合や、数部程度の場合には、画像メモリ２０への蓄積を行わずに記録動作を行ってもよい。また、画像メモリ２０が故障などによってアクセスできない場合も、同様にイメージメモリ２２からの記録動作を行うことができる。
　【００４７】
　【発明の効果】
　以上の説明から明らかなように、本発明によれば、最初の原稿を読み取って第１の画像メモリに格納するとともに、記録を開始するので、複写動作開始から１枚目の記録開始までの時間を短縮することができる。また、第１の画像メモリから直接、記録手段によって記録することによって、例えば符号化した画像を第２の画像メモリに蓄積できない場合でも、１ないし複数部の複写動作を行わせることが可能である。このとき、第１の画像メモリが複数の画像を格納可能であれば、処理速度の向上を図ることができるという効果がある。
【図面の簡単な説明】
　【図１】
　本発明の通信端末装置の実施の一形態を示すブロック図である。
　【図２】
　本発明の通信端末装置の実施の一形態におけるイメージメモリの一構成例および複写機能実行時のデータの流れの概要を示す説明図である。
　【図３】
　本発明の通信端末装置の実施の一形態における動作の一例を示すフローチャートである。
　【図４】
　本発明の通信端末装置の実施の一形態における動作の一例を示すフローチャート（続き）である。
　【図５】
　本発明の通信端末装置の実施の一形態における画像メモリに十分な空き領域が存在しない場合の動作の別の例を示すフローチャートである。
　【図６】
　従来の通信端末装置における複写機能時のデータの流れの一例を示す説明図である。
　【符号の説明】
　１…読取部、２，６…イメージメモリ、３，５…コーデック、４…画像メモリ、７…記録部、１１…主制御部、１２…表示部、１３…操作部、１４…読取部、１５…記録部、１６，１７…コーデック、１８…ＮＣＵ、１９…モデム、２０…画像メモリ、２１…ＲＡＭ、２２…イメージメモリ、２３…ＲＯＭ、２４…バス、３１，３２…メモリ制御部、３３，３４…イメージメモリ。